(57)【要約】【課題】録画済の番組群の中に、ユーザが未視聴の番組の再放送があったことをユーザに知らしめることができる記録再生装置を提供する。【解決手段】テレビ１は、ループ記録処理部２１と、ループ記録された番組に関する情報を録画番組情報として管理する録画番組管理部２２と、記録された番組の視聴履歴を管理する視聴履歴管理部２３と、記録された番組の中から未視聴の番組を未視聴番組として検出する未視聴番組検出部２４と、録画番組情報の中から、未視聴番組の再放送番組を検索する再放送番組検索部１４と、再放送番組検索部１４により検索して得られた再放送番組を告知する再放送番組通知部１５と、を有する。【選択図】図２
2015162814.tif 000002
【特許請求の範囲】
【請求項１】
ループ記録により受信した番組を記憶装置に記録する番組記録処理部と、
前記記憶装置に記録された番組に関する情報を録画番組情報として管理する録画番組管理部と、
前記記録された番組の視聴履歴を管理する視聴履歴管理部と、
前記記録された番組の中から未視聴の番組を未視聴番組として検出する未視聴番組検出部と、
前記録画番組情報の中から、前記未視聴番組の再放送番組を検索する再放送番組検索部と、
前記再放送番組検索部により検索して得られた前記再放送番組を告知する再放送番組告知部と、
を有する記録再生装置。
【請求項２】
前記未視聴番組検出部は、前記記録された番組の中から、前記未視聴の番組であって、かつ設定されたユーザの嗜好、あるいは前記視聴履歴から解析して得られた前記ユーザの嗜好に一致する番組を、前記未視聴番組として検出する請求項１に記載の記録再生装置。
【請求項３】
前記未視聴番組検出部は、前記ユーザが所定時間以上の視聴を行う前に上書き消去される予定の番組を前記未視聴番組として検出する請求項２に記載の記録再生装置。
【請求項４】
前記再放送番組告知部は、前記再放送番組検索部が検索して得た前記再放送番組の前記録画番組情報に、再放送であることを示す再放送指示情報を含める請求項１から３のいずれか１つに記載の記録再生装置。
【請求項５】
前記再放送指示情報は、番組表の前記再放送番組の番組欄に、再放送示す所定の表記を重畳する、あるいは所定の色を付けるための情報である請求項４に記載の記録再生装置。
【請求項６】
前記再放送番組告知部は、前記未視聴番組が、前記記憶装置に記録されている場合には、前記再放送指示情報を含める処理を実行しない請求項４又は５に記載の記録再生装置。
【請求項７】
前記番組表は、過去番組表、カテゴリ別番組表あるいは電子番組表である請求項５又は６に記載の記録再生装置。
【請求項８】
前記未視聴番組検出部は、前記未視聴番組の情報を、所定期間が経過すると消去する請求項１から７のいずれか１つに記載の記録再生装置。
【請求項９】
前記未視聴番組検出部は、前記未視聴番組が未視聴であるかを、前記未視聴番組が前記ループ記録により上書き消去される直前に、未視聴であるか否かを再度確認する請求項１から８のいずれか１つに記載の記録再生装置。
【請求項１０】
前記録画番組情報は、前記受信した番組に含まれるSI情報の全部又は一部の情報である請求項１から９のいずれか１つに記載の記録再生装置。
【請求項１１】
番組記録処理部、録画番組管理部、視聴履歴管理部、未視聴番組検出部、再放送番組検索部及び再放送番組告知部を用いて、再放送番組を表示する方法であって、
前記番組記録処理部により、ループ記録により受信した番組を記憶装置に記録し、
前記録画番組管理部により、前記記憶装置に記録された番組に関する情報を録画番組情報として管理し、
前記視聴履歴管理部により、前記記録された番組の視聴履歴を管理し、
前記未視聴番組検出部により、前記記録された番組の中から未視聴の番組を未視聴番組として検出し、
前記再放送番組検索部により、前記録画番組情報の中から、前記未視聴番組の再放送番組を検索し、
前記再放送番組告知部により、前記再放送番組検索部により検索して得られた前記再放送番組を告知する、
再放送番組の告知方法。
【発明の詳細な説明】
【技術分野】
【０００１】
本発明の実施形態は、デジタル放送を受信し、受信した放送番組の記録及び再生が可能な記録再生装置及び再放送番組の告知方法に関する。
【背景技術】
【０００２】
近年、地上波デジタル放送、BS/CSデジタル放送が本格的に運用され、多くの番組が高画質、高音質で視聴しかつ録画できる記録再生装置が普及している。デジタル放送システムは、電子番組表（EPG（Electronic Program Guide））の仕組みを備えており、約１週間先までの番組表が表示でき、番組の視聴予約や録画予約を行うことができる。
【０００３】
さらに、同一時間帯の複数のチャンネルの番組を同時録画するタイムシフト機能を有するテレビジョン受像機、ハードディスクレコーダなどの記録再生装置も普及してきている。例えば、指定された複数のチャンネルを、指定された時間帯に亘り、全て録画し、過去の所定期間以内であれば、録画された番組を後で視聴することができる記録再生装置が販売されている。よって、ユーザは、そのような録画再生装置を利用すれば、視聴し忘れた番組を、後で視聴することができる。
【０００４】
そのようなタイムシフト機能を有する記録再生装置を利用しても、ユーザは、観たかった番組を視聴し忘れることがある。例えば、ユーザは、視聴したい番組を放送前に認識していても、その番組を放送日に視聴し忘れあるいは視聴できず、かつタイムシフト機能で記録されている視聴可能期間内にも、視聴し忘れて視聴できないこともある。
【０００５】
番組によっては、放送日から数日内に、例えば１週間以内に、再放送される場合もあるが、ユーザが視聴し忘れた番組が再放送されたことに気付かなければ、ユーザは、その再放送の番組も見逃してしまう。
【０００６】
一方で、一部しか視聴出来なかった番組あるいは録画できなかった番組の番組情報に基づいて、その番組情報がEPG情報中に存在するかを判別して、再放送の番組の視聴あるいは録画を可能とするテレビジョン受像機も提案されている。
【０００７】
しかし、その提案に係るテレビジョン受像機では、録画された番組群の中に、ユーザが未視聴の番組の再放送があったことは、知らしめることはできない。
【先行技術文献】
【特許文献】
【０００８】
【特許文献１】特開２００２−３４４８２４号公報
【発明の概要】
【発明が解決しようとする課題】
【０００９】
そこで、本実施形態は、録画済の番組群の中に、ユーザが未視聴の番組の再放送があったことをユーザに知らしめることができる記録再生装置及び再放送番組の告知方法を提供することを目的とする。
【課題を解決するための手段】
【００１０】
実施形態の記録再生装置は、受信した番組を記録すると共に最も古く記録された番組を上書き消去することにより、所定期間分の複数の番組が常に記録されているように前記受信した番組を記憶装置に記録する番組記録処理部と、前記記憶装置に記録された番組に関する情報を録画番組情報として管理する録画番組管理部と、前記記録された番組の視聴履歴を管理する視聴履歴管理部と、前記記録された番組の中から未視聴の番組を未視聴番組として検出する未視聴番組検出部と、前記録画番組情報の中から、前記未視聴番組の再放送番組を検索する再放送番組検索部と、前記再放送番組検索部により検索して得られた前記再放送番組を告知する再放送番組告知部と、を有する。
【図面の簡単な説明】
【００１１】
【図１】実施形態に関わるテレビジョン受像機のブロック図である。
【図２】実施形態に関わる、未視聴番組検出部２４が上書き消去対象情報を取得すると実行する未視聴番組検出処理の流れの例を示すフローチャートである。
【図３】実施形態に関わる未視聴番組リストTBL2の構成を説明するための図である。
【図４】実施形態に関わる、未視聴番組情報が未視聴番組リストTBL2に登録されるタイミングを説明するための図である。
【図５】実施形態に関わる、再放送番組検索部１４により実行される再放送番組検索処理の流れの例を示すフローチャートである。
【図６】実施形態に関わる、未視聴番組の再放送番組が検出されて、再放送種別情報が録画番組情報に追加登録されるタイミングを説明するための図である。
【図７】実施形態に関わる、過去番組表pEPGにおける再放送番組の表示例を示す図である。
【図８】実施形態に関わる過去番組表を表示したタイミングを説明するための図である。
【発明を実施するための形態】
【００１２】
以下、図面を参照して実施形態を説明する。
【００１３】
（構成）
図１は、本実施形態に関わるテレビジョン受像機のブロック図である。本実施形態では、録画再生装置の例としてテレビジョン受像機（以下、テレビという）を説明するが、録画再生装置は、ハードディスクレコーダなどでもよい。
【００１４】
以下に説明するテレビは、タイムシフト機能を有する録画再生装置である。ユーザは、タイムシフト機能を用いて同時録画する、時間帯及びチャンネルを、テレビ１に予め指定あるいは設定をしておく。テレビ１は、その設定された時間帯、例えば１０時から２４時までの時間、における、指定された複数のチャンネルの番組を、ループ記録により所定の期間分、例えば１週間分、自動的に録画する。ユーザは、その所定の期間内の所望の時まで遡って所望の番組を視聴することができる。
【００１５】
テレビ１は、受信部１１、デジタル復調部１２、MPEG処理部１３、再放送番組検索部１４、再放送番組通知部１５、出力部１６、表示器１７、スピーカ１８、システム制御部１９、コマンド信号受信部２０、ループ記録処理部２１、番組記憶部２１ａ、録画番組管理部２２、録画リスト記憶部２２ａ、視聴履歴管理部２３、視聴履歴記憶部２３ａ、未視聴番組検出部２４、未視聴番組リスト記憶部２４ａ、ユーザ嗜好情報管理部２５、及びユーザ嗜好情報記憶部２５ａを含んで構成されている。デジタル復調部１２、MPEG処理部１３、再放送番組検索部１４、再放送番組通知部１５、出力部１６、システム制御部１９、ループ記録処理部２１、録画番組管理部２２、視聴履歴管理部２３、未視聴番組検出部２４、及びユーザ嗜好情報管理部２５は、互いにバス２６を介して接続されている。
【００１６】
なお、ここでは、バス２６により互いに接続されて通信可能な複数の処理部は、ハードウエア回路により実現されるが、一部の処理部については、ソフトウエアプログラムにより実現してもよい。
【００１７】
受信部１１は、アンテナからの放送信号を受信して、中間周波数信号に変換して、デジタル復調部１２へ出力する。デジタル復調部１２は、中間周波数信号からトランスポートストリームを抽出し、MPEG処理部１３へ出力する。なお、受信部１１は、放送信号をケーブル回線を介して受信するものであってもよい。
【００１８】
MPEG処理部１３は、トランスポートストリームから映像信号、音声信号及び電子番組表EPG用のSI（Service Information）情報を分離して、映像信号と音声信号のデコードを行う。デコードされた映像信号と音声信号は、出力部１６に出力される。
【００１９】
再放送番組検索部１４は、録画番組管理部２２で管理され、番組記憶部２１ａに記録されている番組中に未視聴番組の再放送が存在するかを検索する処理を行う。すなわち、再放送番組検索部１４は、記録されている番組の番組情報の中から、未視聴番組の再放送番組を検索する再放送番組検索部である。そして、未視聴番組の再放送番組が検出されると、再放送番組通知部１５は、その再放送番組の番組情報に、見逃し番組の再放送である可能性を示す情報を追加登録する。
【００２０】
再放送番組通知部１５は、再放送番組検索部１４により検索されて抽出された再放送番組の存在をユーザに知らしめるための処理を行う。すなわち、再放送番組通知部１５は、再放送番組検索部１４により検索して得られた再放送番組をユーザに告知する再放送番組告知部を構成する。そして、再放送番組通知部１５は、再放送番組検索部１４が検索して得た再放送番組の録画番組情報に、再放送であることを示す再放送指示情報を含める処理を実行する。
【００２１】
より具体的には、後述するように、過去番組表や、ジャンル等のカテゴリに応じて分けられたカテゴリ別録画リストが表示器１７の画面上に表示されたときに、未視聴番組の再放送番組の番組情報に、所定の表記が追加されるように、再放送番組通知部１５は、再放送指示情報を録画リストTBL1に追加登録するする処理を行う。具体的には、未視聴番組の再放送番組の番組情報への、文字、マーク等の所定の表記の追加が行われる。  
出力部１６は、受信した映像信号を表示器１７へ、受信した音声信号をスピーカ１８へ出力する。
【００２２】
システム制御部１９は、テレビ１内の各処理部の動作を統括的に制御する制御部である。システム制御部１９には、リモコン、タブレットPCなど外部機器からのコマンド信号を受信するコマンド信号受信部２０と接続されている。システム制御部１９には、コマンド信号受信部２０からのコマンド信号が入力される。コマンド信号は、例えば、テレビ放送の視聴及び録画、電子番組表EPGの表示、過去番組表pEPGの表示、録画済み番組の再生、等を指示するコマンド信号である。
【００２３】
システム制御部１９は、中央処理装置（CPU）、ROM等を含み、ROMに記憶されたプログラムを実行することにより、受信したコマンドに応じた機能が実現されるように各処理部を制御する。
【００２４】
ループ記録処理部２１は、ユーザにより指定あるいは設定されたタイムシフト機能のためのチャンネルと時間帯の番組を番組記憶部２１ａにループ記録する処理を行う処理部である。ループ記録とは、ユーザにより指定あるいは設定されたチャンネル及び時間帯の複数の番組を、所定期間分、例えば１週間分、記録すると共に、その所定期間を経過した古い番組データから順に番組データを削除し、常に新しい番組データが記録されているように、受信した番組のコンテンツデータを上書き記録することをいう。すなわち、ループ記録処理部２１は、受信した番組を記録すると共に最も古く記録された番組を上書き消去することにより、所定期間分の複数の番組が常に記録されているように受信した番組を記憶装置である番組記憶部２１ａに記録する番組記録処理部である。
【００２５】
番組記憶部２１ａには、現時点から所定期間だけ遡った時までの、タイムシフト機能のために設定された複数のチャンネルと時間帯に受信した、最新の番組が常に記録されている。よって、ユーザは、所定期間、例えば１週間、以内であれば、過去の番組は全て録画されているので、所望の番組を再生して視聴することができるが、録画されてから例えば１週間を過ぎた番組はループ記録により上書き消去されているので、ユーザは、再生して視聴することができない。
【００２６】
録画番組管理部２２は、番組記憶部２１ａに記録されている番組の番組情報を管理する処理部である。録画番組管理部２２は、ループ記録処理部２１のループ記録により番組記憶部２１ａに新たに録画された番組の情報と、ループ記録により削除された番組の情報とに基づいて、番組記憶部２１ａに記録されている最新の番組の番組情報（以下、録画番組情報という））を生成し、録画番組情報リスト（以下、録画リストという）TBL1に登録する。
【００２７】
システム制御部１９は、録画番組管理部２２が管理する録画リストTBL1に基づいて、タイムシフト機能により録画された番組の番組表、すなわち過去番組表pEPGを生成する。録画番組情報は、受信した番組に含まれるSI情報の全部又は一部の情報である。すなわち、録画番組管理部２２は、記憶装置である番組記憶部２１ａに記録された番組に関する情報を録画番組情報として管理する処理部である。
【００２８】
また、録画番組管理部２２は、ループ記録により録画された番組のコンテンツデータが削除される前に、削除すなわち上書き消去される予定の番組の情報（以下、上書き消去対象情報という）を生成する。生成された上書き消去対象情報は、後述するように、所定のタイミングで、未視聴番組検出部２４へ送信される。
【００２９】
本実施形態では、上書き消去対象情報が送信される所定のタイミングは、削除される番組の削除予定日の前日の所定の時刻である。  
なお、ここでは、上書き消去対象情報が送信されるタイミングは、削除される番組の削除予定日の前日の所定の時刻であるが、上書き消去対象情報が送信されるタイミングは、削除される番組の削除予定時の半日前、削除される番組の削除予定時の数時間前、削除される番組の削除予定時の直前、等であってもよい。
【００３０】
さらになお、上書き消去対象情報の生成と送信のタイミングは、タイムシフト機能による録画がされない時間帯中の所定の時刻でもよい。例えば、タイムシフト機能が有効な時間帯として朝１０時から夜２４時までの時間帯が設定されている場合は、午前０時から朝１０時までの時間帯における任意のタイミングを、上書き消去対象情報の生成と送信のタイミングとしてもよい。
【００３１】
以上のように、録画番組管理部２２は、タイムシフト機能により番組記憶部２１ａに録画されている番組の番組情報を、録画リスト記憶部２２ａの録画リストTBL1に記録して管理し、さらに、削除予定の番組の上書き消去対象情報を生成して未視聴番組検出部２４へ送信している。  
視聴履歴管理部２３は、番組記憶部２１ａに記録されている番組の中で、ユーザにより視聴された番組の情報（以下、視聴履歴情報という）を生成し、視聴履歴記憶部２３ａに記録して管理する処理部である。視聴履歴管理部２３は、ユーザにより番組記憶部２１ａに記録された番組中のいずれかが再生されると、再生された番組の情報と、再生された番組が、どの程度の時間あるいは割合、再生されたかの情報を、視聴履歴情報として生成し、視聴履歴記憶部２３ａに記録する。すなわち、視聴履歴管理部２３は、記録された番組の視聴履歴を管理する。
【００３２】
未視聴番組検出部２４は、ループ記録処理部２１によりループ記録された番組の中で、ユーザが視聴する前に上書き消去されようとしている番組を検出する処理部である。言い換えると、未視聴番組検出部２４は、ユーザが全く視聴していないあるいは一部しか視聴していない番組で、上書き消去されようとしている番組を検出する処理部である。すなわち、未視聴番組検出部２４は、ユーザが所定時間以上の視聴を行う前に上書き消去される予定の番組を未視聴番組として検出する。未視聴番組検出部２４は、検出された未視聴番組についての情報を、未視聴番組リスト記憶部２４ａの未視聴番組リストTBL2に記録する。
【００３３】
本実施形態では、未視聴とは、ユーザが番組を全く視聴していないことだけでなく、ユーザが番組の一部しか視聴していないことも含む。  
未視聴番組検出部２４は、タイムシフト機能で録画された全ての番組を対象として、未視聴番組を検出するようにしてもよいが、ここでは、未視聴番組検出部２４で未視聴であるか否かの対象とする番組は、ユーザ嗜好情報管理部２５により設定されているユーザ嗜好に合致する番組に限定されている。
【００３４】
ユーザ嗜好情報管理部２５は、未視聴番組の検出対象とする番組についてユーザ嗜好情報を管理する処理部である。ここでは、ユーザ嗜好情報は、例えば、ユーザの好む、番組のジャンル、タイトル、チャンネルなどの情報である。ユーザ嗜好情報は、ユーザがリモコンなどを利用して、表示器１７の画面上に表示されたGUI等により設定され、ユーザ嗜好情報記憶部２５ａに記録される。ユーザ嗜好情報管理部２５は、ユーザ嗜好情報の、ユーザ嗜好情報記憶部２５ａへの書込と読み出しを行う。
【００３５】
未視聴番組検出部２４は、ユーザ嗜好情報管理部２５からのユーザ嗜好情報を得て、ユーザ嗜好情報に基づいて未視聴番組を検出する。  
ここでは、ユーザ嗜好情報は、ユーザにより設定されるが、ユーザの視聴履歴から自動的に抽出して登録するようにしてもよい。例えば、ユーザ嗜好情報管理部２５は、図１において点線で示すように、視聴履歴記憶部２３ａに記録されたユーザの視聴履歴から、ユーザの好みの番組のジャンル、タイトル等を解析し、その解析して得られたジャンルなどの情報を、ユーザ嗜好情報として登録するようにしてもよい。
【００３６】
従って、未視聴番組検出部２４は、記録された番組の中から未視聴の番組を未視聴番組として検出する。そして、未視聴番組検出部２４は、記録された番組の中から、未視聴の番組であって、かつ設定されたユーザの嗜好、あるいは視聴履歴から解析して得られたユーザの嗜好に一致する番組を、未視聴番組として検出する。
【００３７】
以上のように、テレビ１は、タイムシフト機能を有する録画再生装置である。ユーザは、タイムシフト機能を用いて同時録画する、時間帯及び複数のチャンネルを、テレビ１に予め指定あるいは設定をしておく。テレビ１は、その設定された時間帯、例えば１０時から２４時までの時間、において、指定された複数のチャンネルの全番組を、ループ記録により最新の一定の期間分、例えば１週間分、自動的に録画する。その結果、ユーザは、その一定の期間内の所望の時まで遡って番組を視聴することができる。
【００３８】
（作用）
次に、上述したテレビ１の動作について説明する。
【００３９】
テレビ１がタイムシフト機能により番組録画を行っている。録画番組管理部２２は、所定のタイミングで、上書き消去対象情報を、未視聴番組検出部２４へ送信する。未視聴番組検出部２４が、録画番組管理部２２から上書き消去対象情報を取得すると、図２の処理を実行する。
【００４０】
図２は、未視聴番組検出部２４が上書き消去対象情報を取得すると実行する未視聴番組検出処理の流れの例を示すフローチャートである。  
なお、ここでは、上書き消去対象情報が複数の番組の番組情報を含むので、図２の処理は、上書き消去対象情報に含まれる各番組に対して実行される。
【００４１】
未視聴番組検出部２４は、録画番組管理部２２から上書き消去対象情報を取得すると、取得した上書き消去対象情報の番組が、ユーザ嗜好と一致する番組か否かを判定する（S1）。例えば、ユーザ嗜好情報が「ドラマ」を含み、上書き消去対象情報に係る番組が「ドラマ」であると、上書き消去対象情報の番組がユーザ嗜好と一致する番組であると判定される。
【００４２】
S1の判定は、上書き消去対象情報の番組のSI情報に含まれる情報と、ユーザ嗜好情報が一致するか否かにより行われる。取得した上書き消去対象情報の番組が、ユーザ嗜好と一致する番組でなければ（S1:NO）、処理は何もしない。
【００４３】
取得した上書き消去対象情報の番組が、ユーザ嗜好と一致する番組であると（S1:YES）、未視聴番組検出部２４は、取得した上書き消去対象情報の番組が未視聴であるか否かを判定する（S2）。
【００４４】
上書き消去対象情報の番組が未視聴であるか否かは、視聴履歴管理部２３が管理する視聴履歴情報に基づいて、判定される。視聴履歴情報は、再生された番組の情報と、再生された番組が、どの程度の時間あるいは割合、再生されたかの情報を含む。例えば、未視聴と判定する基準すなわち閾値がその番組の全放送時間の９５％とすると、番組が６０分の番組であれば、再生時間が５４分以下のとき（再生時間が０の場合を含む）は、その番組は、未視聴と判定され、再生時間が５４分を超えると、未視聴でないと判定される。
【００４５】
よって、未視聴番組検出部２４は、視聴履歴管理部２３と通信して、視聴履歴情報を取得する。未視聴番組検出部２４は、取得した視聴履歴情報と所定の閾値とを比較することによって、上書き消去対象情報の番組が未視聴であるか否かを判定する。  
未視聴でなければすなわちその番組が視聴済であれば（S2:NO）、処理は、何もしない。
【００４６】
未視聴の場合（S2:YES）、未視聴番組検出部２４は、その番組情報を、未視聴番組情報として、未視聴番組リスト記憶部２４ａの未視聴番組リストTBL2に登録する（S3）。  
図３は、未視聴番組リストTBL2の構成を説明するための図である。未視聴番組リストTBL2は、テーブルデータであり、未視聴番組情報は、番組のタイトルと所定の情報を含む。少なくともタイトルと、所定の情報が、SI情報から抽出されて、未視聴番組リストTBL2に登録される。ここでは、SI情報に含まれる話数の情報が、所定の情報として、未視聴番組リストTBL2に登録されている。
【００４７】
なお、ここでは、番組のタイトルと話数がSI情報から抽出されて、未視聴番組情報として未視聴番組リストTBL2に登録されているが、他の情報も所定の情報として登録するようにしてもよい。例えば、再放送検索を行う期限を設定する目的で、当初の放送日時も併せて未視聴番組リストTBL2に登録するようにし、未視聴番組の当初の放送日時から所定期間、例えば６ヶ月、が経過すると、未視聴番組検出部２４は、その未視聴番組の未視聴番組情報を、消去するようにすることができる。結果として、未視聴番組リストTBL2に、未視聴番組情報が、無駄に残存することがない。
【００４８】
図４は、未視聴番組情報が未視聴番組リストTBL2に登録されるタイミングを説明するための図である。  
図４は、２月１８日（火）２２時からの１時間ドラマである「冬のドラマ  第３話」がタイムシフト機能により録画され、２月２５日（火）２２時にループ記録により上書き消去される場合を示している。
【００４９】
ここでは、上述したように、テレビ１は、所定の複数のチャンネルについて、所定の時間帯、例えば朝の１０時から夜中の２４時までの時間帯に放送される全ての番組を記録している。そして、番組記憶部２１ａに記録されている全ての番組は、録画されてからちょうど１週間が経過するときに、上書き消去により削除される。２月１８日（火）２２時から２３時までの間に録画された番組は、２月２５日（火）の２２時に上書き消去される。
【００５０】
録画番組管理部２２は、図４では、２月２４日（月）の所定の時刻T1に、次の日である２月２５日（火）に上書き消去される全番組情報を、録画リスト記憶部２２ａから抽出して、上書き消去対象情報として、未視聴番組検出部２４へ送信している。図４では、時刻T1は、２月２４日（月）の２３時５５分である。録画リストTBL1には、２月１８日（火）２２時から放送された番組「冬のドラマ  第３話」が含まれている。
【００５１】
さらに、番組「冬のドラマ  第３話」が未視聴で、２月１８日（火）２２時から放送された番組「冬のドラマ  第３話」の番組は、ユーザの嗜好と一致するので、未視聴番組検出部２４は、２月１８日（火）２２時から放送された番組「冬のドラマ  第３話」の番組情報を、時刻T1において、未視聴番組リストTBL2に登録する。  
なお、図４では、時刻T1においては、また、次の日の番組は録画されていないので、次の日の番組は点線で示されている。
【００５２】
図５は、再放送番組検索部１４により実行される再放送番組検索処理の流れの例を示すフローチャートである。ここでは、図５の処理は、録画番組管理部２２が録画リスト記憶部２２ａの録画リストTBL1を更新した後の所定のタイミングで実行される。なお、図５の処理は、録画リスト記憶部２２ａの録画リストTBL1の更新タイミング以外のタイミングに実行するようにしてもよく、例えば、所定の周期で、定期的に実行するようにしてもよい。
【００５３】
再放送番組検索部１４は、未視聴番組情報があるか否かを判定する（S11）。具体的には、再放送番組検索部１４は、未視聴番組検出部２４に問い合わせて、未視聴番組検出部２４の管理する未視聴番組リストTBL2に未視聴番組情報が登録されているか否かを判定する。
【００５４】
未視聴番組リストTBL2に未視聴番組情報が登録されていると（S11:YES）、録画番組管理部２２に問い合わせて、録画リストTBL1から録画番組情報を取得し（S12）、録画番組情報の番組が未視聴番組の再放送番組であるか否かを判定する（S13）。S12では、録画番組情報は、録画リストTBL1の先頭から順番に１つずつ取得される。S13では、取得した録画リストTBL1の録画番組情報が未視聴番組リストTBL2の未視聴番組情報（複数の未視聴番組情報があれば、いずれか１つ）と一致するかに基づいて、取得した録画番組情報の番組が未視聴番組の再放送番組であるか否かが判定される。
【００５５】
録画リストTBL1から取得した録画番組情報が、未視聴番組リストTBL2に登録されている未視聴番組情報と一致すると、その録画番組情報の番組は、未視聴番組リストに登録されている未視聴番組情報の番組の再放送番組である。
【００５６】
録画番組情報の番組が未視聴番組の再放送番組であると判定されると（S13:YES）、再放送番組検索部１４は、録画リストTBL1中の録画番組情報に、所定の情報、ここでは再放送種別情報、を追加して登録するように、再放送番組通知部１５に対して指示する（S14）。再放送番組通知部１５は、所定の表記のための文字などの情報を、録画リストTBL1中の録画番組情報に追加する。
【００５７】
そして、再放送番組検索部１４は、未視聴番組検出部２４を介して、未視聴番組リストTBL2から、その一致した未視聴番組情報を削除する（S15）。  
S15の処理後、及びS13でNOのとき、録画リストTBL1末尾まで、録画番組情報と未視聴番組情報との一致の判定を行ったか、すなわち、録画リストTBL1末尾まで検索が完了したか、を判定する（S16）。
【００５８】
録画リストTBL1末尾までの検索が完了していないとき（S16:NO）、処理はS12に戻る。録画リストTBL1末尾までの検索が完了したとき（S16:YES）、及び  未視聴番組リストTBL2に未視聴番組情報が登録されていないとき（S11:NO）、再放送番組検索部１４は、録画リストTBL1の検索完了位置を、未視聴番組リスト記憶部２４ａの所定の記憶領域に記憶する（S17）。この検索完了位置は、前回の検索完了位置として記憶され、この検索完了位置の情報は、次回の検索処理を行う際の開始位置として利用される。
【００５９】
図６は、未視聴番組の再放送番組が検出されて、再放送種別情報が録画番組情報に追加登録されるタイミングを説明するための図である。  
図６は、２月１８日（火）の２２時からの１時間ドラマである「冬のドラマ  第３話」の再放送が２月２５日（火）の１４時に行われて、その再放送番組の録画番組情報に再放送種別情報が追加登録された例を示している。
【００６０】
上述したように、テレビ１は、所定の複数のチャンネルについて、所定の時間帯、例えば朝の１０時から夜中の１２時までの時間帯に放送される全番組を記録している。そして、録画リストTBL1の更新後、時刻T2に、例えば２月２５日（火）の２０時に、図５の処理が実行されたとする。
【００６１】
図５の処理により、２月２５日（火）の１４時から１５時に放送されて録画された番組「冬のドラマ  第３話」の録画番組情報に、再放送種別情報が追加して登録される。  
なお、時刻T2のタイミングでは、ドラマ「冬のドラマ  第４話」は録画されていないので、図６では、点線で示している。
【００６２】
システム制御部１９は、録画リストTBL1に基づいて過去番組表pEPGを表示する。よって、ユーザがその時刻T2以降に、過去番組表pEPGを表示器１３の画面上に表示させると、システム制御部１９は、過去番組表pEPGの再放送の番組欄に、再放送番組通知部１５により追加された再放送種別情報に基づいて所定の表記を重畳する。
【００６３】
図７は、過去番組表pEPGにおける再放送番組の表示例を示す図である。図８は、過去番組表pEPGを表示したタイミングを説明するための図である。  
例えば、２月２５日（火）の２３時以降のある時刻T3で、ユーザが過去番組表pEPGの表示コマンドをリモコンで指示して過去番組表pEPGを見たとする。時刻T3では、２月１８日（火）の２２時から２３時に録画された番組はループ記録により既に消去されている。
【００６４】
ユーザが過去番組表pEPGを表示させるコマンドをリモコンで指示すると、再放送された「冬のドラマ  第３話」の録画番組情報には再放送種別情報が追加して登録されているので、システム制御部１９は、表示器１７の画面上に表示される過去番組表pEPG中の２月２５日（火）の１４時から１５時に放送されて録画された番組「冬のドラマ  第３話」の番組欄に、所定の表記、ここでは枠で囲んだ文字「再放送」を重畳表示する。その結果、ユーザは、過去番組表pEPGを見ると、自己の嗜好に合った番組で、見逃した番組の再放送があって録画されていることを簡単に認識することができる。
【００６５】
なお、図７の例では、再放送番組通知部１５が、番組情報に所定の表記を追加することにより、再放送番組の番組欄に枠で囲んだ文字「再放送」が重畳されているが、より明確にするために、文字に代えて再放送番組の番組欄の色を他の欄の色とは異なるようにしたり、枠で囲んだ文字「再放送」を他の文字とは異なる色やフォントで示すように、録画リストTBL1の情報を変更したり、システム制御部１９による過去番組表pEPGの表示を制御してもよい。この場合、「再放送」の表記などは、その後１週間は、過去番組表pEPGを表示したとき表示される。よって、再放送番組通知部１５は、番組表の再放送番組の番組欄に、再放送示す所定の表記を重畳する、あるいは所定の色を付けるための処理を実行する。
【００６６】
以上のように、本実施形態のテレビ１によれば、録画済の番組群の中に、ユーザが未視聴の番組の再放送があったことをユーザに知らしめることができる記録再生装置及び再放送番組の告知方法を実現することができる。
【００６７】
次に、上述した実施形態の変形例について説明する。
【００６８】
（変形例１）
上述した実施形態では、上書き消去対象情報が送信されるタイミングは、上書き消去により削除される番組の削除予定日の前日の所定の時刻で、そのタイミングで未視聴番組リストの未視聴番組情報が作成されているが、未視聴番組リストに登録された未視聴番組のコンテンツデータが上書き消去される直前の所定の時間に、例えば消去される直前の５分前の時点に、未視聴番組リストの番組が未視聴であるか否かを、視聴履歴管理部２３を介して再度確認する処理（S2）を実行するようにしてもよい。
【００６９】
そして、未視聴番組リストの番組が未視聴か否かを再度確認した結果、その番組がユーザにより視聴されて未視聴でなくなっているときは、録画リストTBL1中のその番組の番組情報から再放送種別情報を削除し、かつ未視聴番組リストTBL2からその未視聴でなくなった番組の未視聴番組情報を消去する。そのようにすれば、過去番組表中のその番組欄には、所定の表記、ここでは枠で囲んだ文字「再放送」が重畳されない。
【００７０】
（変形例２）
上述した実施形態及び変形例１では、過去番組表pEPGを表示したときに、再放送種別情報が追加登録された番組情報の番組欄に所定の表記が重畳されているが、過去番組表pEPGを表示するときに、未視聴番組が未だ番組リスト中に存在する場合は、所定の表記を重畳しないようにしてもよい。未視聴番組が未だ番組リスト中に存在するか否かは、録画リストTBL1をチェックすることにより判定することができる。すなわち、再放送番組通知部１５は、未視聴番組が、番組記憶部２１ａに記録されている場合には、再放送種別情報の追加処理を実行しない。
【００７１】
未視聴番組が削除されるまでは、ユーザはその未視聴番組を視聴する可能性があるので、本変形例のようにすれば、見逃し番組の表示がより正確に行われる。
【００７２】
（変形例３）
上述した実施形態、変形例１及び変形例２では、過去番組表pEPGに再放送番組であることをユーザに知らしめるものであるが、未視聴番組リストTBL2中の未視聴番組が、電子番組表EPGにあるか否かも検索するようにしてもよい。
【００７３】
すなわち、未来の放送予定番組表である電子番組表EPGを表示するときに、未視聴番組の再放送が電子番組表EPG中に存在するか否かの処理を行う。そして、未視聴番組の再放送が電子番組表EPG中に存在するときは、電子番組表EPG中のその再放送番組の番組情報に再放送種別情報を追加登録する処理を実行する。その結果、電子番組表EPG中の再放送番組に、所定の表記が追加される。  
本変形例によれば、未来の番組表である電子番組表EPGにも、見逃し番組の表示を行ことができる。
【００７４】
以上のように、上述した実施形態及び各変形例によれば、録画済の番組群の中に、ユーザが未視聴の番組の再放送があったことをユーザに知らしめることができる記録再生装置及び再放送番組の告知方法を提供することができる。
【００７５】
上述した実施形態及び各変形例によれば、視聴者であるユーザがタイムシフト機能を利用して番組録画を行っていても日常的に発生し得る、見逃し番組の再放送番組を自動的に検索し、その番組の視聴機会を２度目逃さないための視聴環境が提供可能となる。
【００７６】
例えば、放送日当日の昼間に再放送がある、あるいは纏めて過去の何回分かを再放送するときがあるようなときに、再放送のあった後、所定期間は、所定の表記などが表示され続けるので、ユーザは、再放送の有無を認識する確率が高い。
【００７７】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００７８】
１  テレビ、１１  受信部、１２  デジタル復調部、１３  MPEG処理部、１３  表示器、１４  再放送番組検索部、１５  再放送番組通知部、１６  出力部、１７  表示器、１８  スピーカ、１９  システム制御部、２０  コマンド信号受信部、２１  ループ記録処理部、２１ａ  番組記憶部、２２  録画番組管理部、２２ａ  録画リスト記憶部、２３  視聴履歴管理部、２３ａ  視聴履歴記憶部、２４  未視聴番組検出部、２４ａ  未視聴番組リスト記憶部、２５  ユーザ嗜好情報管理部、２５ａ  ユーザ嗜好情報記憶部、２６  バス。
【図１】
2015162814.tif 000003
【図２】
2015162814.tif 000004
【図３】
2015162814.tif 000005
【図４】
2015162814.tif 000006
【図５】
2015162814.tif 000007
【図６】
2015162814.tif 000008
【図７】
2015162814.tif 000009
【図８】
2015162814.tif 000010